(57)【要約】【課題】サーペンタインコラムの商品通路幅規制装置であって、商品通路内の商品からスライド板に側圧が印可された場合の、商品通路横幅の規制値からの変動が抑制されたサーペンタインコラムの商品通路幅規制装置を提供する。【解決手段】上下に互いに間隔を隔てて配設され一対の第１ヒンジを介してサーペンタインコラムの側壁に連結された一対のアームと、上下に延在し前記一対のアームの先端間に掛け渡され一対の第２ヒンジを介して前記先端に連結されたスライド板とを有する平行四辺形のリンク機構と、上下に延在し前記リンク機構に対して所定範囲内で上下に相対移動可能に前記一対の第２ヒンジを介して前記リンク機構に連結されると共にサーペンタインコラムの商品通路上端部に配設された支持部材に懸吊されたサイドスペーサとを備え、スライド板はサーペンタインコラムの商品通路に面しているサーペンタインコラムの商品通路幅規制装置であって、スライド板は所定範囲内で第２ヒンジに接近離隔可能であり、スライド板は第２ヒンジに接近するとサイドスペーサに係止される。【選択図】  図６
2005031871.tif 000002
【特許請求の範囲】
【請求項１】
上下に互いに間隔を隔てて配設され一対の第１ヒンジを介してサーペンタインコラムの側壁に連結された一対のアームと、上下に延在し前記一対のアームの先端間に掛け渡され一対の第２ヒンジを介して前記先端に連結されたスライド板とを有する平行四辺形のリンク機構と、上下に延在し前記リンク機構に対して所定範囲内で上下に相対移動可能に前記一対の第２ヒンジを介して前記リンク機構に連結されると共にサーペンタインコラムの商品通路上端部に配設された支持部材に懸吊されたサイドスペーサとを備え、スライド板はサーペンタインコラムの商品通路に面しているサーペンタインコラムの商品通路幅規制装置であって、スライド板は所定範囲内で第２ヒンジに接近離隔可能であり、スライド板は第２ヒンジに接近するとサイドスペーサに係止されることを特徴とするサーペンタインコラムの商品通路幅規制装置。
【請求項２】
スライド板を第２ヒンジから離隔する方向へ付勢するバネを備えることを特徴とする請求項１に記載のサーペンタインコラムの商品通路幅規制装置。
【請求項３】
バネはサイドスペーサに取り付けられていることを特徴とする請求項２に記載のサーペンタインコラムの商品通路幅規制装置。
【請求項４】
バネはアームに取り付けられていることを特徴とする請求項２に記載のサーペンタインコラムの商品通路幅規制装置。
【発明の詳細な説明】
【０００１】
【発明の属する技術分野】
本発明は、自動販売機のサーペンタインコラムの商品通路幅規制装置に関するものである。
【０００２】
【従来の技術】
図１に示すように、自動販売機のサーペンタインコラム１００には、商品サイズに合わせて商品通路１０１の横幅を規制する商品通路幅規制装置１が配設されている。商品通路幅規制装置１の従来例を図１〜図４（ａ）に基づいて説明する。
従来例に係る商品通路幅規制装置１は、上下に互いに間隔を隔てて配設された一対の第１ヒンジ２を介してサーペンタインコラム１００の上下に延在する側壁１０２に連結された一対の同一長さのアーム３と、上下に延在して前記一対のアーム３の先端間に掛け渡され、一対の第２ヒンジ４を介して前記先端に連結されたスライド板５とを有する平行四辺形のリンク機構６を備えている。第２ヒンジ４は、アーム３の先端両側部に形成された一対の丸孔３ａとスライド板５から延びる一対の腕５ａに形成された一対の丸孔５ｂとに挿通されたピン７により形成されている。
従来例に係る商品通路幅規制装置１は更に、上下に延在する矩形波形断面のサイドスペーサ８を備えている。サイドスペーサ８の幅方向中央部に形成され上下に延在する谷部８ａが、商品通路１０１へ差し向けられている。サイドスペーサ８の谷部８ａ上部の背面両側部と谷部８ａ下部の背面側部とからそれぞれ延びる一対の腕８ｂに、上下に延在する一対の長孔８ｃが形成されている。上方の第２ヒンジ４のピン７が上方の一対の長孔８ｂに挿通されており、下方の第２ヒンジ４のピン７が下方の一対の長孔８ｂに挿通されている。サイドスペーサ８には、上方の一対の腕８ｂ間部位と、下方の一対の腕８ｂ間部位とに、それぞれ開口８ｄが形成されている。上記構成により、サイドスペーサ８は、リンク機構６に対して所定範囲内で上下に相対移動可能に、前記一対の第２ヒンジ４を介してリンク機構６に連結されている。
サイドスペーサ８は、商品通路１０１の上端部で商品投入口１０３の直下に配設され両端がサーペンタインコラム１００の側壁に固定されたロッド１０４に懸吊されている。ロッド１０４にはサイドスペーサ８の上端部が係合可能な複数の位置決め溝１０４ａが形成されている。
スライド板５は、サイドスペーサ８の谷部８ａ内で上下に延在しており、商品通路１０１に面している。スライド板５が有する上方の一対の腕５ａはサイドスペーサ８の上方の開口８ｄに挿通され、下方の一対の腕５ａはサイドスペーサ８の下方の開口８ｄに挿通されている。
【０００３】
上記構成を有する従来例に係る商品通路幅規制装置によれば、サイドスペーサ８の上端部が係合する位置決め溝１０４ａを変更することにより、商品サイズに合わせて、商品通路１０１の横幅を規制することができる。平行四辺形を形成するリンク機構６の作動により、サイドスペーサ８はサーペンタインコラム側壁に対して平行に保持される。この結果、商品通路１０１の横幅が上下に亙って一定値に規制される。サイドスペーサ８は、リンク機構６に対して所定範囲内で上下に相対移動可能に、一対の第２ヒンジ４を介してリンク機構６に連結されているので、商品通路１０１の横幅規制値の変更に伴って、リンク機構６が形成する平行四辺形が変形し、第２ヒンジ４の上下位置が変化しても、サイドスペーサ８の上端部は上下に移動せず、支障なく位置決め溝１０４ａに係合することができる。
【０００４】
【発明が解決しようとする課題】
上述の従来例に係る商品通路幅規制装置１には、図４（ｂ）に示すように、商品通路１０１内の商品からスライド板５に側圧Ｆが印可されると、リンク機構６が形成する平行四辺形が偏平に変形し、リンク機構６の変形に追随してサイドスペーサ８が上端部の懸吊点を中心に揺動し、商品通路１０１の横幅が規制値から変動するという問題がある。
本発明は上記問題に鑑みてなされたものであり、上下に互いに間隔を隔てて配設され一対の第１ヒンジを介してサーペンタインコラムの側壁に連結された一対のアームと、上下に延在し前記一対のアームの先端間に掛け渡され一対の第２ヒンジを介して前記先端に連結されたスライド板とを有するリンク機構と、上下に延在し前記リンク機構に対して所定範囲内で上下に相対移動可能に前記一対の第２ヒンジを介して前記リンク機構に連結されると共にサーペンタインコラムの商品通路上端部に配設された支持部材に懸吊されたサイドスペーサとを備え、スライド板はサーペンタインコラムの商品通路に面しているサーペンタインコラムの商品通路幅規制装置であって、商品通路内の商品からスライド板に側圧が印可された場合の、商品通路横幅の規制値からの変動が抑制されたサーペンタインコラムの商品通路幅規制装置を提供することを目的とする。
【０００５】
【課題を解決するための手段】
上記課題を解決するために、本発明においては、上下に互いに間隔を隔てて配設され一対の第１ヒンジを介してサーペンタインコラムの側壁に連結された一対のアームと、上下に延在し前記一対のアームの先端間に掛け渡され一対の第２ヒンジを介して前記先端に連結されたスライド板とを有する平行四辺形のリンク機構と、上下に延在し前記リンク機構に対して所定範囲内で上下に相対移動可能に前記一対の第２ヒンジを介して前記リンク機構に連結されると共にサーペンタインコラムの商品通路上端部に配設された支持部材に懸吊されたサイドスペーサとを備え、スライド板はサーペンタインコラムの商品通路に面しているサーペンタインコラムの商品通路幅規制装置であって、スライド板は所定範囲内で第２ヒンジに接近離隔可能であり、スライド板は第２ヒンジに接近するとサイドスペーサに係止されることを特徴とするサーペンタインコラムの商品通路幅規制装置を提供する。
本発明に係るサーペンタインコラムの商品通路幅規制装置においては、商品通路内の商品からスライド板に側圧が印可されると、スライド板は第２ヒンジに接近し、サイドスペーサに係止される。この結果、リンク機構が形成する平行四辺形が偏平に変形するのが抑制され、リンク機構の変形に追随してサイドスペーサが上端部の懸吊点を中心に揺動するのが抑制され、商品通路の横幅が規制値から変動するのが抑制される。
【０００６】
本発明の好ましい態様においては、サーペンタインコラムの商品通路幅規制装置は、スライド板を第２ヒンジから離隔する方向へ付勢するバネを備える。
商品通路内の商品からスライド板に側圧が印可されていない状態では、スライド板はバネの付勢力を受けて第２ヒンジから離隔しており、サイドスペーサには係止していないので、リンク機構が形成する平行四辺形は変形し得る。この結果、サイドスペーサの懸吊点の変更が容易になる。
【０００７】
本発明の好ましい態様においては、バネはサイドスペーサに取り付けられている。
本発明の好ましい態様においては、バネはアームに取り付けられている。
スライド板を付勢するバネは、サイドスペーサに取り付けても良く、アームに取り付けても良い。
【０００８】
【発明の実施の形態】
本発明の第１実施例に係るサーペンタインコラムの商品通路幅規制装置を説明する。
図５、６（ａ）に示すように、本実施例に係る商品通路幅規制装置１′においては、スライド板５の一対の腕５ａには、一対の丸孔５ｂに代えて、ピン７に近接する一端からピン７から離隔する他端へ向けて斜め下方へ延在する一対の長孔５ｂ′が形成されている。またスライド板５の一部が切り起こされて爪５ｃが形成されている。サイドスペーサ８の谷部８ａ底壁に、爪５ｃが係止可能な角孔８ｅが形成されている。サイドスペーサ８の谷部８ａ底壁にバネ９がとりつけられている。バネ９は、スライド板５をピン７から遠ざかる方向へ付勢している。上記を除き、本実施例に係るサーペンタインコラムの商品通路幅規制装置の構成は、図１〜４に示した従来例に係るサーペンタインコラムの商品通路幅規制装置の構成と同様である。図５、６において、従来例に係るサーペンタインコラムの商品通路幅規制装置の構成部材と同様の構成部材には、従来例に係るサーペンタインコラムの商品通路幅規制装置の構成部材に付した参照番号と同一の参照番号を付している。
【０００９】
商品通路幅規制装置１′においては、商品通路１０１内の商品からスライド板５に側圧が印可されていない状態では、図６（ａ）に示すように、バネ９の付勢力を受けて、スライド板５は第２ヒンジ４を構成するピン７ひいてはサイドスペーサ８の谷部８ａ底壁から離れており、爪５ｃは角孔８ｅに係合していない。またスライド板５は自重により下方へ移動しており、長孔５ｂ′の上端部がピン７に係合している。
商品通路１０１内の商品からスライド板５に側圧Ｆが印可されると、図６（ｂ）に示すように、長孔５ｂ′にピン７が挿通されたスライド板５は、バネ９からの付勢力に抗しつつ斜め上方へ移動し、第２ヒンジ４を形成するピン７に接近する。スライド板５に形成された爪５ｃが、サイドスペーサ８に形成された角孔８ｅの上縁部に係合し、スライド板５はサイドスペーサ８に係止される。この結果、リンク機構６が形成する平行四辺形が偏平に変形するのが抑制され、リンク機構６の変形に追随してサイドスペーサ８が上端部の懸吊点を中心に揺動するのが抑制され、商品通路１０１の横幅が規制値から変動するのが抑制される。
商品通路１０１内の商品からスライド板５に側圧が印可されていない状態では、スライド板５はバネ９の付勢力を受けてサイドスペーサ８の谷部８ａ底壁から離れており、爪５ｃは角孔８ｅに係合せず、スライド板５はサイドスペーサ８に係止していないので、リンク機構６が形成する平行四辺形は変形し得る。この結果、サイドスペーサ８の懸吊点の変更を容易に行うことができる。
【００１０】
本発明の第２実施例に係るサーペンタインコラムの商品通路幅規制装置を説明する。
図７〜９（ａ）に示すように、本実施例に係る商品通路幅規制装置１″においては、バネ９に代えてバネ９′がアーム３の先端部に取り付けられている。バネ９′は、スライド板５をピン７から遠ざかる方向へ付勢している。上記を除き、本実施例に係るサーペンタインコラムの商品通路幅規制装置１″の構成は、図５、６に示した本発明の第１実施例に係るサーペンタインコラムの商品通路幅規制装置１′の構成と同様である。図７〜９において、サーペンタインコラムの商品通路幅規制装置１′の構成部材と同様の構成部材には、サーペンタインコラムの商品通路幅規制装置１′の構成部材に付した参照番号と同一の参照番号を付している。
【００１１】
商品通路幅規制装置１″においては、商品通路１０１内の商品からスライド板５に側圧が印可されていない状態では、図９（ａ）に示すように、バネ９′の付勢力を受けて、スライド板５は第２ヒンジ４を構成するピン７ひいてはサイドスペーサ８の谷部８ａ底壁から離れており、爪５ｃは角孔８ｅに係合していない。またスライド板５は自重により下方へ移動しており、長孔５ｂ′の上端部がピン７に係合している。
商品通路１０１内の商品からスライド板５に側圧Ｆが印可されると、長孔５ｂ′にピン７が挿通されたスライド板５は、バネ９′からの付勢力に抗しつつ斜め上方へ移動して第２ヒンジ４を形成するピン７に接近する。スライド板５に形成された爪５ｃが、サイドスペーサ８に形成された角孔８ｅの上縁部に係合し、スライド板５はサイドスペーサ８に係止される。この結果、リンク機構６が形成する平行四辺形が偏平に変形するのが抑制され、リンク機構６の変形に追随してサイドスペーサ８が上端部の懸吊点を中心に揺動するのが抑制され、商品通路１０１の横幅が規制値から変動するのが抑制される。
商品通路１０１内の商品からスライド板５に側圧が印可されていない状態では、スライド板５はバネ９′の付勢力を受けてサイドスペーサ８の谷部８ａ底壁から離れており、爪５ｃは角孔８ｅに係合せず、スライド板５はサイドスペーサ８に係止していないので、リンク機構６が形成する平行四辺形は変形し得る。この結果、サイドスペーサ８の懸吊点の変更を容易に行うことができる。
【００１２】
【発明の効果】
本発明に係るサーペンタインコラムの商品通路幅規制装置においては、商品通路内の商品からスライド板に側圧が印可されると、スライド板は第２ヒンジに接近し、サイドスペーサに係止される。この結果、リンク機構が形成する平行四辺形が偏平に変形するのが抑制され、リンク機構の変形に追随してサイドスペーサが上端部の懸吊点を中心に揺動するのが抑制され、商品通路の横幅が規制値から変動するのが抑制される。
【図面の簡単な説明】
【図１】従来例に係るサーペンタインコラムの商品通路幅規制装置の使用状況を示す側面図である。
【図２】従来例に係るサーペンタインコラムの商品通路幅規制装置の分解斜視図である。
【図３】従来例に係るサーペンタインコラムの商品通路幅規制装置の斜視図である。
【図４】従来例に係るサーペンタインコラムの商品通路幅規制装置の使用状況を示す断面図である。
【図５】本発明の第１実施例に係るサーペンタインコラムの商品通路幅規制装置の分解斜視図である。
【図６】本発明の第１実施例に係るサーペンタインコラムの商品通路幅規制装置の使用状況を示す断面図である。
【図７】本発明の第２実施例に係るサーペンタインコラムの商品通路幅規制装置の分解斜視図である。
【図８】本発明の第２実施例に係るサーペンタインコラムの商品通路幅規制装置の斜視図である。
【図９】本発明の第２実施例に係るサーペンタインコラムの商品通路幅規制装置の使用状況を示す断面図である。
【符号の説明】
１、１′、１″  サーペンタインコラムの商品通路幅規制装置
２  第１ヒンジ
３  アーム
４  第２ヒンジ
５  スライド板
６  リンク機構
７  ピン
８  サイドスペーサ
９、９′  バネ
１０１  商品通路
１０２  側壁
１０３  商品投入口
１０４  ロッド
【図１】
2005031871.tif 000003
【図２】
2005031871.tif 000004
【図３】
2005031871.tif 000005
【図４】
2005031871.tif 000006
【図５】
2005031871.tif 000007
【図６】
2005031871.tif 000008
【図７】
2005031871.tif 000009
【図８】
2005031871.tif 000010
【図９】
2005031871.tif 000011